(57)【要約】【課題】集合住宅の住民が避難するときに通路が混雑することを回避すると共に住民のパニックを抑制する。【解決手段】サービスゲートウェイ１０は、集合住宅内の通路が使用可能か否かを示す通路状態情報を格納するデータベース１３と、通路状態情報に基づいて、住戸毎に集合住宅の外に出る出口までの避難経路を示す避難経路情報を作成する避難経路情報作成部１６と、災害の発生を通報するための災害予報情報を受信する災害予報情報受信部１７と、災害予報情報が受信されたなら、避難経路情報に基づいて、住戸毎に出口までの避難経路を住戸内にある通信装置の画面に表示させる表示制御部１８とを備える。【選択図】図２
2008287476.tif 000002
【特許請求の範囲】
【請求項１】
複数階の集合住宅内の各住戸からの避難を支援する避難支援装置であって、
前記集合住宅内の通路が使用可能か否かを示す通路状態情報を格納するデータベースと、
前記データベースから読み出した前記通路状態情報に基づいて、前記住戸毎に前記集合住宅の外に出る出口までの避難経路を示す避難経路情報を作成する避難経路情報作成部と、
災害の発生を通報するための災害予報情報を受信する災害予報情報受信部と、
前記災害予報情報受信部によって前記災害予報情報が受信されたなら、前記避難経路情報作成部によって作成された避難経路情報に基づいて、前記住戸毎に前記出口までの避難経路を住戸内にある通信装置の画面に表示させる表示制御部と
を備えたことを特徴とする避難支援装置。
【請求項２】
複数階の集合住宅内の同一の住戸からの避難を支援する避難支援装置であって、
前記集合住宅内の通路が使用可能か否かを示す通路状態情報を格納するデータベース装置から通信により得た前記通路状態情報に基づいて、前記住戸から前記集合住宅の外に出る出口までの避難経路を示す避難経路情報を作成する避難経路情報作成部と、
災害の発生を通報するための災害予報情報を受信する災害予報情報受信部と、
前記災害予報情報受信部によって前記災害予報情報が受信されたなら、前記避難経路情報作成部によって作成された避難経路情報に基づいて前記避難経路を、前記住戸内にある通信装置の画面に表示させる表示制御部と
を備えたことを特徴とする避難支援装置。
【請求項３】
複数階の集合住宅内の各住戸からの避難を支援する避難支援方法であって、
前記集合住宅内の通路が使用可能か否かを示す通路状態情報を格納するデータベースから読み出した前記通路状態情報に基づいて、前記住戸毎に前記集合住宅の外に出る出口までの避難経路を示す避難経路情報を避難経路情報作成部が作成し、
災害の発生を通報するための災害予報情報を災害予報情報受信部が受信し、
前記災害予報情報受信部によって前記災害予報情報が受信されたなら、表示制御部が前記避難経路情報作成部によって作成された避難経路情報に基づいて、前記住戸毎に前記出口までの避難経路を住戸内にある通信装置の画面に表示させる
ことを特徴とする避難支援方法。
【請求項４】
複数階の集合住宅内の同一の住戸からの避難を支援する避難支援方法であって、
前記集合住宅内の通路が使用可能か否かを示す通路状態情報を格納するデータベース装置から通信により得た前記通路状態情報に基づいて、前記住戸から前記集合住宅の外に出る出口までの避難経路を示す避難経路情報を避難経路情報作成部が作成し、
災害の発生を通報するための災害予報情報を災害予報情報受信部が受信し、
前記災害予報情報受信部によって前記災害予報情報が受信されたなら、表示制御部が前記避難経路情報作成部によって作成された避難経路情報に基づいて前記避難経路を、前記住戸内にある通信装置の画面に表示させる
ことを特徴とする避難支援方法。
【発明の詳細な説明】
【技術分野】
【０００１】
本発明は、災害の発生時に避難経路を表示する避難支援装置および避難支援方法に関する。
【背景技術】
【０００２】
従来の技術としては、地震などの災害発生後に、いつ、どこに、どのような経路で避難すればよいかを知らせるための情報などをわかりやすい情報として提供することを目的とした避難情報提供システムが知られている（例えば、特許文献１参照）。
【０００３】
詳細には、特許文献１に開示された避難情報提供システムは、利用者の位置情報を利用して、利用者に即した避難所までの避難経路マップを携帯電話機に表示させて提供することにより、利用者の避難行動をさらに円滑にさせている。
【特許文献１】特開２００６−２１５９４２号公報
【発明の開示】
【発明が解決しようとする課題】
【０００４】
しかしながら、従来の技術では、マンションの中にいる住民の避難行動を想定した場合、地震などの災害に遭遇したとき、住民がマンションの外に出るときに避難経路となる通路を通ると他の住民も同じ通路から避難することがあるため、その通路が混雑していて迅速に避難できなくなり、さらに、マンション内の通路が工事中などで通行不能であったとき、避難している住民がパニックに陥るという課題が残されていた。
【０００５】
本発明は、従来の課題を解決するためになされたもので、集合住宅の住民が避難するときに通路が混雑することを回避すると共に住民のパニックを抑制することができる避難支援装置および避難支援方法を提供することを目的とする。
【課題を解決するための手段】
【０００６】
本発明の避難支援装置は、複数階の集合住宅内の各住戸からの避難を支援する避難支援装置であって、前記集合住宅内の通路が使用可能か否かを示す通路状態情報を格納するデータベースと、前記データベースから読み出した前記通路状態情報に基づいて、前記住戸毎に前記集合住宅の外に出る出口までの避難経路を示す避難経路情報を作成する避難経路情報作成部と、災害の発生を通報するための災害予報情報を受信する災害予報情報受信部と、前記災害予報情報受信部によって前記災害予報情報が受信されたなら、前記避難経路情報作成部によって作成された避難経路情報に基づいて、前記住戸毎に前記出口までの避難経路を住戸内にある通信装置の画面に表示させる表示制御部とを備えたことを特徴とする。
【０００７】
本発明の避難支援方法は、複数階の集合住宅内の各住戸からの避難を支援する避難支援方法であって、前記集合住宅内の通路が使用可能か否かを示す通路状態情報を格納するデータベースから読み出した前記通路状態情報に基づいて、前記住戸毎に前記集合住宅の外に出る出口までの避難経路を示す避難経路情報を避難経路情報作成部が作成し、災害の発生を通報するための災害予報情報を災害予報情報受信部が受信し、前記災害予報情報受信部によって前記災害予報情報が受信されたなら、表示制御部が前記避難経路情報作成部によって作成された避難経路情報に基づいて、前記住戸毎に前記出口までの避難経路を住戸内にある通信装置の画面に表示させることを特徴とする。
【０００８】
これらの本発明によれば、通路が使用可能か否かを示す通路状態情報に基づいて作成した住戸毎の避難経路をそれぞれの住戸内にある通信装置の画面に表示させるため、住民が避難するときの通路が混雑することを回避すると共に、避難経路の通路が使用不能ということがないため、住民のパニックを抑制することができる。
【０００９】
また、別の本発明の避難支援装置は、複数階の集合住宅内の同一の住戸からの避難を支援する避難支援装置であって、前記集合住宅内の通路が使用可能か否かを示す通路状態情報を格納するデータベース装置から通信により得た前記通路状態情報に基づいて、前記住戸から前記集合住宅の外に出る出口までの避難経路を示す避難経路情報を作成する避難経路情報作成部と、災害の発生を通報するための災害予報情報を受信する災害予報情報受信部と、前記災害予報情報受信部によって前記災害予報情報が受信されたなら、前記避難経路情報作成部によって作成された避難経路情報に基づいて前記避難経路を、前記住戸内にある通信装置の画面に表示させる表示制御部とを備えたことを特徴とする。
【００１０】
また、別の本発明の避難支援方法は、複数階の集合住宅内の同一の住戸からの避難を支援する避難支援方法であって、前記集合住宅内の通路が使用可能か否かを示す通路状態情報を格納するデータベース装置から通信により得た前記通路状態情報に基づいて、前記住戸から前記集合住宅の外に出る出口までの避難経路を示す避難経路情報を避難経路情報作成部が作成し、災害の発生を通報するための災害予報情報を災害予報情報受信部が受信し、前記災害予報情報受信部によって前記災害予報情報が受信されたなら、表示制御部が前記避難経路情報作成部によって作成された避難経路情報に基づいて前記避難経路を、前記住戸内にある通信装置の画面に表示させることを特徴とする。
【００１１】
これらの本発明によれば、通路が使用可能か否かを示す通路状態情報に基づいて作成した避難経路を通信装置の画面に表示させるため、住民が避難するときの通路が混雑することを回避すると共に、避難経路の通路が使用不能ということがないため、住民のパニックを抑制することができる。
【発明の効果】
【００１２】
本発明によれば、集合住宅の住民が避難するときに通路が混雑することを回避すると共に住民のパニックを抑制することができる。
【発明を実施するための最良の形態】
【００１３】
以下、本発明の実施の形態について、図面を参照して説明する。
【００１４】
（本発明の第１の実施の形態）
本発明の第１の実施の形態で説明する集合住宅の正面図を図１（ａ）に示す。なお、本発明の実施の形態における集合住宅としては、マンションを例にとって説明する。また、本発明の第１の実施の形態で説明するマンションを上から観た図を図１（ｂ）に示す。
【００１５】
図１に示したマンションは、３階建てであり、１階に１０１号から１０４号の住戸があり、２階に２０１号から２０４号の住戸があり、３階に３０１号から３０４号の住戸がある。各住戸は、マンションの両脇にある非常階段ＫＡと非常階段ＫＢとの間にある。
【００１６】
１０１号の住戸は、管理室として使用されており、管理室には、本発明の第１の実施の形態に係る避難支援装置が設置されている。図２は、本発明の第１の実施の形態に係る避難支援装置のブロック図である。なお、避難支援装置としてサービスゲートウェイを例にとって説明する。
【００１７】
サービスゲートウェイ１０は、例えば、プログラムを実行するＣＰＵ等からなる制御部１１、ＲＯＭやＲＡＭ等からなるメモリ１２、マンション内の通路が使用可能か否かを示す通路状態情報を格納するデータベース１３、ＬＡＮなどのネットワークを介して情報を送受信するネットワークインタフェース１４、キーボードやマウス等からなる入力部１５によって構成され、避難支援方法を実行する。データベース１３は、ハードディスク装置やメモリなどの記憶手段およびデータを管理するプログラムなどによって構成される。
【００１８】
通路状態情報は、例えば、マンション内の通路が工事中であった場合に工事中の通路の箇所を示す情報など、マンション内の避難経路となる通路がなんらか要因で使用不能となっている状態の通路の箇所、または問題なく通行できる区間を示す情報である。
【００１９】
また、サービスゲートウェイ１０は、地震や火事などの災害が発生したときに、マンションの各住戸に設置してあるインターホン装置８それぞれにマンション内の避難経路などの情報を出力するようになっている。
【００２０】
図２に示した避難経路情報作成部１６、災害予報情報受信部１７、および表示制御部１８は、例えば、プログラムのモジュールであり、制御部１１によって実行される。
【００２１】
避難経路情報作成部１６は、データベース１３にある通路状態情報に基づいて、マンション内の住戸毎にマンションの外に出る出口までの避難経路を示す避難経路情報を作成する。避難経路情報は、対象の住戸から出口までの避難経路を示すものである。
【００２２】
例えば、避難経路情報作成部１６は、１つの非常階段に各住戸の避難経路が集中しないように分散して避難経路情報を作成する。例えば、図３に示すように、Ｘを階の序数とすると、Ｘ０１号、Ｘ０２号の住戸の避難経路情報は、非常階段ＫＡを住人が通る避難経路を示すものとなり、Ｘ０３号、Ｘ０４号の住戸の避難経路情報は、非常階段ＫＢを住人が通る避難経路を示すものとなる。また、奇数階の住戸の避難経路情報を、非常階段ＫＡを住人が通る避難経路を示すものとし、偶数階の住戸の避難経路情報を、非常階段ＫＢを住人が通る避難経路を示すものとしてもよい。避難経路の分散の方法については、上述したものに限定することはなく、迅速さおよび安全さが考慮された方法であればよい。
【００２３】
また、図４に示すように、３０４号の住戸付近の通路で工事が行われている場合、工事が行われている箇所を示す通路状態情報はデータベース１３に格納される。避難経路情報作成部１６は、避難経路情報をデータベース１３にある通路状態情報に基づいて作成するため、３０４号の住戸付近の箇所を通ることがないよう、避難経路情報を作成する。
【００２４】
ここで、３０３号の住戸に着目すれば、工事が行われていない場合には、避難経路情報作成部１６は、図３に示すように、３０３号の住人が非常階段ＫＢを通る避難経路を示す避難経路情報を作成するが、図４に示したような箇所で工事が行われている場合には、図５に示すように、３０３号の住人が非常階段ＫＡを通る避難経路を示す避難経路情報を作成する。
【００２５】
災害予報情報受信部１７は、災害の発生を通報するための災害予報情報をネットワークインタフェース１４を介して図示していない地震速報サーバや火災検知器から受信する。災害予報情報には、地震や火事などの速報が含まれている。例えば、災害予報情報受信部１７は、地震速報を受信することで、「地震○！  あと○○秒後！」などの地震の予想震度や到着予想時刻を特定できる情報を受信することができる。
【００２６】
表示制御部１８は、避難経路情報作成部１６によって作成された避難経路情報に基づいて、住戸毎に出口までの避難経路を、住戸内にあるインターホン装置８などの通信装置のの画面に表示させる。例えば、表示制御部１８が表示させる映像は、図５に示したような避難経路を示す映像であり、即座に避難経路が判る内容であればよい。
【００２７】
以上のように構成された本発明の第１の実施の形態に係るサービスゲートウェイ１０の動作の一例について、図面を参照して説明する。図６は、本発明の第１の実施の形態に係るサービスゲートウェイ１０の動作を示すフローチャートである。
【００２８】
なお、マンション内の通路に関する通路状態情報については、通行可能なものが予めデータベース１３に格納されており、図３に示したような避難経路情報が作成されている。ここで、図４に示したようにマンション内に工事があったとする。
【００２９】
まず、図６（ａ）のフローチャートについて説明する。管理人は、図４に示すように３０４号の住戸付近の通路で工事が行われている箇所を示す通路状態情報を入力部１５を介して入力してデータベース１３に格納する（Ｓ１）。すると、避難経路情報作成部１６は、１つの住戸を選択し、選択した住戸からの避難経路を示す避難経路情報を、データベース１３に格納された通路状態情報に基づいて作成する（Ｓ２）。
【００３０】
引き続き、避難経路情報作成部１６は、マンション内に未選択の住戸があるか否かを確認し（Ｓ３）、未選択の住戸の中から次の住戸を選択し、選択した住戸からの避難経路を示す避難経路情報をデータベース１３に格納された通路状態情報に基づいて作成することを繰り返す。各住戸の避難経路情報については、図５に示すように３０３号の住人が非常階段ＫＡを通る避難経路を示す避難経路情報が作成され、３０３号を除く住戸の避難経路情報については、図３に示したような避難経路を示す避難経路情報が作成される。
【００３１】
次に、図６（ｂ）のフローチャートについて説明する。災害予報情報受信部１７が災害予報情報を受信した場合（Ｓ１１）、表示制御部１８は、１つの住戸を選択し、選択した住戸の避難経路情報をデータベース１３から取得し（Ｓ１２）、取得した避難経路情報に基づいて、その避難経路情報が示す避難経路を、選択している住戸のインターホン装置８の画面に表示させる（Ｓ１３）。
【００３２】
引き続き、表示制御部１８は、マンション内に選択していない住戸があるか否かを確認し（Ｓ１４）、未選択の住戸の中から次の住戸を選択し、選択した住戸の避難経路情報をデータベース１３から取得して避難経路をインターホン装置８の画面に表示させることを繰り返す。
【００３３】
以上説明したように、本発明の第１の実施の形態に係るサービスゲートウェイ１０によれば、災害発生時に工事中やメンテナンスなどで使用できないことなどを示す通路状態情報に基づいて避難経路情報を作成し、避難経路情報に基づいて、住戸毎に出口までの避難経路を住戸内にあるインターホン装置８の画面などに表示させるため、住民が避難するときの通路が混雑することを回避すると共に、避難経路の通路が使用不能ということがないため、住民のパニックを抑制することができる。
【００３４】
（本発明の第２の実施の形態）
本発明の第２の実施の形態で説明する集合住宅の正面図を図７に示す。本発明の第２の実施の形態で説明するマンションを上から観た図は図１（ｂ）と同様である。
【００３５】
１０１号の住戸は、管理室として使用されており、管理室には、本発明の第１の実施の形態で説明したデータベース１３と、図８に示すネットワークインタフェース１４と同様のネットワークインタフェースを有するデータベース装置１３Ａが設置されている。また、各住戸には、図示していないが本発明の第２の実施の形態に係る避難支援装置がそれぞれ設置されている。
【００３６】
以下、本発明の第２の実施の形態では、本発明の第１の実施の形態で説明した構成要素と同じものには同じ符号を付し、その説明を省略する。
【００３７】
図８は、本発明の第２の実施の形態に係る避難支援装置のブロック図である。なお、避難支援装置としてサービスゲートウェイを例にとって説明する。
【００３８】
サービスゲートウェイ２０は、例えば、制御部１１、メモリ１２、データを格納するためのハードディスク装置１９、ネットワークインタフェース１４、入力部１５によって構成される。なお、ネットワークインタフェース１４は、管理室にあるデータベース装置１３Ａと通信可能に接続されている。
【００３９】
図８に示した避難経路情報作成部２６、災害予報情報受信部１７、および表示制御部２８は、例えば、プログラムのモジュールであり、制御部１１によって実行される。
【００４０】
避難経路情報作成部２６は、この避難経路情報作成部２６を含むサービスゲートウェイ２０が設置された住戸からマンションの外に出る出口までの避難経路を示す避難経路情報を、データベース装置１３Ａから通信により得た通路状態情報に基づいて作成する。なお、避難経路情報作成部２６が避難経路情報を作成する方法は、避難経路情報作成部１６で説明したものと同様の方法である。
【００４１】
表示制御部２８は、避難経路情報作成部２６によって作成された避難経路情報に基づいて、この表示制御部２８を含むサービスゲートウェイ２０が設置された住戸から出口までの避難経路をその住戸にあるインターホン装置８などの通信装置の画面に表示させる。なお、表示制御部２８が表示させる映像は、表示制御部１８が表示させる映像と同様である。
【００４２】
以上のように構成された本発明の第２の実施の形態に係るサービスゲートウェイ２０の動作の一例について、図面を参照して説明する。図９は、本発明の第２の実施の形態に係るサービスゲートウェイ２０の動作を示すフローチャートである。
【００４３】
なお、マンション内の通路に関する通路状態情報については、通行可能なものが予めデータベース装置１３Ａのデータベース１３に格納されており、図３に示したような避難経路が作成されている。ここで、図４に示したようにマンション内で工事があったとする。
【００４４】
まず、図９（ａ）のフローチャートについて説明する。管理人は、図４に示すように３０４号の住戸付近の通路で工事が行われている箇所を示す通路状態情報を入力してデータベース装置１３Ａのデータベース１３に格納する。
【００４５】
すると、避難経路情報作成部２６は、データベース１３に格納された通路状態情報をネットワークインタフェース１４を介して受信し（Ｓ２１）、この避難経路情報作成部２６を含むサービスゲートウェイ２０が設置された住戸からの避難経路を示す避難経路情報を、受信した通路状態情報に基づいて作成する（Ｓ２２）。例えば、３０３号の住戸のサービスゲートウェイ２０であれば、図５に示すように３０３号の住人が非常階段ＫＡを通る避難経路を示す避難経路情報が作成される。なお、作成された避難経路情報は、ハードディスク装置１９に格納される。
【００４６】
次に、図９（ｂ）のフローチャートについて説明する。災害予報情報受信部１７が災害予報情報を受信した場合（Ｓ３１）、表示制御部２８は、避難経路情報作成部２６が作成した避難経路情報をハードディスク装置１９から取得し（Ｓ３２）、取得した避難経路情報に基づいて、その避難経路情報が示す避難経路を、この表示制御部２８を含むサービスゲートウェイ２０が設置された住戸のインターホン装置８の画面に表示させる（Ｓ３３）。
【００４７】
なお、表示制御部２８は、その住戸の住人が避難中に避難経路が確認できるように住戸の住人の携帯電話機に避難経路の映像情報を送信するようにしてもよい。
【００４８】
以上説明したように、本発明の第２の実施の形態に係るサービスゲートウェイ２０によれば、災害発生時に工事中やメンテナンスなどで使用できないことなどを示す通路状態情報に基づいて避難経路情報を作成し、その避難経路情報に基づいて避難経路をそのサービスゲートウェイが設置された住戸にあるインターホン装置８の画面に表示させるため、住民が避難するときの通路が混雑することを回避すると共に、避難経路の通路が使用不能ということがないため、住民のパニックを抑制することができる。
【図面の簡単な説明】
【００４９】
【図１】本発明の第１の実施の形態で説明する集合住宅の模式図である。
【図２】本発明の第１の実施の形態に係る避難支援装置のブロック図である。
【図３】各住戸の避難経路を示す図である。
【図４】集合住宅の工事箇所を示す図である。
【図５】通路状態情報に基づいて作成された避難経路情報による避難経路を示す図である。
【図６】本発明の第１の実施の形態に係るフローチャートである。
【図７】本発明の第２の実施の形態で説明する集合住宅の模式図である。
【図８】本発明の第２の実施の形態に係る避難支援装置のブロック図である。
【図９】本発明の第２の実施の形態に係るフローチャートである。
【符号の説明】
【００５０】
８  インターホン装置
１０、２０  サービスゲートウェイ
１１  制御部
１２  メモリ
１３  データベース
１３Ａ  データベース装置
１４  ネットワークインタフェース
１５  入力部
１６、２６  避難経路情報作成部
１７  災害予報情報受信部
１８、２８  表示制御部
１９  ハードディスク装置
【図１】
2008287476.tif 000003
【図２】
2008287476.tif 000004
【図３】
2008287476.tif 000005
【図４】
2008287476.tif 000006
【図５】
2008287476.tif 000007
【図６】
2008287476.tif 000008
【図７】
2008287476.tif 000009
【図８】
2008287476.tif 000010
【図９】
2008287476.tif 000011